(57)【要約】【課題】  通気性や柔軟性が阻害されることがない一方、柔軟な被当接部材に対しても追従しやすくなって、充分なずれ止め効果も発揮可能な着用物品用シートおよびその製造方法並びに着用物品用シートを用いた吸収性物品およびその製造方法を提供する。【解決手段】  着用物品用シート（ずれ止めシート）１のシート２には、ホットメルト接着剤４が網状若しくは繊維状に塗工されるとともに、繊維は、繊維長１０ｍｍ以下の短繊維３であって、網状は若しくは繊維状に塗工されたホットメルト接着剤４に接着されている。【選択図】  図１
2005118225.tif 000002
【特許請求の範囲】
【請求項１】
シートに塗工された接着剤に繊維が接着されてなる着用物品用シートであって、
上記シートにホットメルト接着剤が網状若しくは繊維状に塗工されるとともに、上記繊維は、繊維長１０ｍｍ以下の短繊維であって、上記網状若しくは繊維状に塗工されたホットメルト接着剤に接着されていることを特徴とする着用物品用シート。
【請求項２】
上記シートにはホットメルト接着剤の存在領域と非存在領域とを形成して、上記短繊維は、ホットメルト接着剤の存在領域のみに設けられている請求項１記載の着用物品用シート。
【請求項３】
上記ホットメルト接着剤の存在領域または非存在領域は、特定の識別情報を意味するパターンに形成されている請求項２記載の着用物品用シート。
【請求項４】
請求項１〜３のいずれか１項に記載の着用物品用シートは、シートを供給する工程と、このシートにホットメルト接着剤を塗工する工程と、このホットメルト接着剤部に短繊維を吹付け若しくは誘導して接着する工程と、上記ホットメルト接着剤に接着されなかった余剰短繊維を回収する工程とを含んで製造されることを特徴とする着用物品用シートの製造方法。
【請求項５】
請求項１〜３のいずれか１項に記載の着用物品用シートを用いた吸収性物品であって、
上記吸収性物品は、トップシートとバックシートとの間に吸水体を挟み込んで構成され、上記着用物品用シートは、上記吸収性物品の防漏用バックシートとして用い、若しくはバックシートに接着して用いていることを特徴とする吸収性物品。
【請求項６】
請求項１〜３のいずれか１項に記載の着用物品用シートを用いた吸収性物品であって、
上記吸収性物品は、パンツ型おむつに構成されて、上記着用物品用シートは、上記パンツ型おむつの防漏用外装シートとして用い、若しくは外装シートに接着して用いていることを特徴とする吸収性物品。
【請求項７】
上記防漏用シートは、透湿防水性のプラスティックフィルムである請求項５または６記載の吸収性物品。
【請求項８】
上記吸収性物品のバックシートの外表面に、ホットメルト接着剤を部分的に塗工して、この部分的に塗工されたホットメルト接着剤に短繊維を接着している請求項５〜７のいずれか１項に記載の吸収性物品。
【請求項９】
請求項５〜８のいずれか１項に記載の吸収性物品の製造工程に、請求項４記載の製造工程が含まれていることを特徴とする吸収性物品の製造方法。
【発明の詳細な説明】
【技術分野】
【０００１】
本発明は、着用物品用シートおよびその製造方法並びに着用物品用シートを用いた吸収性物品およびその製造方法に関する。
【背景技術】
【０００２】
従来、微細な透湿孔を多数形成した透湿防水性シートの外表面に短繊維を起立するように植毛してなる着用物品用シートが設けられて、この着用物品用シートをバックシートに用いた使い捨ておむつ（吸収性物品）がある（例えば、特許文献１参照）。
【０００３】
また、シート状基部の一面からほぼ同一の長さで起立する複数の繊維を有するずれ止めシートがある（例えば、特許文献２参照）。そして、シート状基部に接着剤を塗工して、この接着剤に繊維を散布、吹付け、振動あるいは高圧の静電気を利用して接着している。
【特許文献１】実用新案登録登録第２５２７４００号公報
【特許文献２】特開２０００−２４８４４５号公報
【発明の開示】
【発明が解決しようとする課題】
【０００４】
しかしながら、特許文献１では、透湿防水性シートの外表面に短繊維を起立するように植毛するために、接着剤をシートのほぼ全面に均一に塗工するようになっていて、この接着剤の全面均一塗工のために、微細な透湿孔が塞がれて通気性が阻害されやすくなり、さらには全面均一塗工の接着剤によってシート全体の柔軟性が阻害されやすくなるという問題があった。
【０００５】
また、特許文献２では、接着剤を厚く全面均一塗工すると、ずれ止めシート自体が固くなって、被当接部材が柔軟なシート（例えば、不織布、織物、編物等で形成されたシート物）であった場合には、被当接部材に追従できなくなる可能性があるとともに、接着剤を無秩序に粗く塗工すると、接着される繊維量が不足してずれ止めシートとしての機能を果たせなくなる。
【０００６】
本発明は、上記問題を解消するためになされたもので、通気性や柔軟性が阻害されることがない一方、柔軟な被当接部材に対しても追従しやすくなって、充分なずれ止め効果も発揮可能な着用物品用シートおよびその製造方法並びに着用物品用シートを用いた吸収性物品およびその製造方法を提供することを課題とするものである。
【課題を解決するための手段】
【０００７】
上記課題を解決するために、本発明の請求項１では、シートに塗工された接着剤に繊維が接着されてなる着用物品用シートであって、
上記シートにホットメルト接着剤が網状若しくは繊維状に塗工されるとともに、上記繊維は、繊維長１０ｍｍ以下の短繊維であって、上記網状若しくは繊維状に塗工されたホットメルト接着剤に接着されていることを特徴とする着用物品用シートを提供するものである。
【０００８】
請求項２のように、上記シートにはホットメルト接着剤の存在領域と非存在領域とを形成して、上記短繊維は、ホットメルト接着剤の存在領域のみに設けられている構成とすることが好ましい。
【０００９】
請求項３のように、上記ホットメルト接着剤の存在領域または非存在領域は、特定の識別情報を意味するパターンに形成されている構成とすることが好ましい。
【００１０】
本発明の請求項４では、請求項１〜３のいずれか１項に記載の着用物品用シートは、シートを供給する工程と、このシートにホットメルト接着剤を塗工する工程と、このホットメルト接着剤部に短繊維を吹付け若しくは誘導して接着する工程と、上記ホットメルト接着剤に接着されなかった余剰短繊維を回収する工程とを含んで製造されることを特徴とする着用物品用シートの製造方法を提供するものである。
【００１１】
本発明の請求項５では、請求項１〜３のいずれか１項に記載の着用物品用シートを用いた吸収性物品であって、
上記吸収性物品は、トップシートとバックシートとの間に吸水体を挟み込んで構成され、上記着用物品用シートは、上記吸収性物品の防漏用バックシートとして用い、若しくはバックシートに接着して用いていることを特徴とする吸収性物品を提供するものである。
【００１２】
本発明の請求項６では、請求項１〜３のいずれか１項に記載の着用物品用シートを用いた吸収性物品であって、
上記吸収性物品は、パンツ型おむつに構成されて、上記着用物品用シートは、上記パンツ型おむつの防漏用外装シートとして用い、若しくは外装シートに接着して用いていることを特徴とする吸収性物品を提供するものである。
【００１３】
請求項７のように、上記防漏用シートは、透湿防水性のプラスティックフィルムである構成とすることが好ましい。
【００１４】
請求項８のように、上記吸収性物品のバックシートの外表面に、ホットメルト接着剤を部分的に塗工して、この部分的に塗工されたホットメルト接着剤に短繊維を接着している構成とすることが好ましい。
【００１５】
本発明の請求項９では、請求項５〜８のいずれか１項に記載の吸収性物品の製造工程に、請求項４記載の製造工程が含まれていることを特徴とする吸収性物品の製造方法を提供するものである。
【発明の効果】
【００１６】
請求項１によれば、シートに網状若しくは繊維状にホットメルト接着剤を塗工して、繊維長１０ｍｍ以下の短繊維を接着するようにしたから、短繊維がシートに分散されるようになるので、着用物品用シート全体の柔軟性を損なわれなくなって、布様の外観と肌触りとを持つようになる。
【００１７】
また、ずれ止めシートとした場合には、起立方向が不均一な状態で短繊維がシートに分散されるようになるので、網状若しくは繊維状に塗工したホットメルト接着剤の塗工部は柔軟で、繊維同士の固定も無くて固くならないために、ずれ止めシートは全体として柔軟で、柔軟な被当接部材に対しても追従しやすく、繊維も引っ掛かりやすくなって、充分なずれ止め効果を発揮できるようになる。
【００１８】
請求項２によれば、シートにホットメルト接着剤を部分的に塗工して、ホットメルト接着剤の存在領域にのみ短繊維を接着しているので、ホットメルト接着剤や短繊維の無駄を省くことができる。
【００１９】
また、ずれ止めシートとした場合には、ずれ止めを発揮したい任意の箇所にのみずれ止め部を形成できる。
【００２０】
請求項３によれば、ホットメルト接着剤部の存在領域または非存在領域を特定の識別情報を意味するパターンに形成しておけば、表裏の識別、前後・左右の識別、美観の想起等のように、着用物品用シートや着用物品用シートを用いた吸収性物品をより有効に取り扱うための手段となる。なお、特定の識別情報とは、サイズ表示、ブランド名、製品名、取扱説明等の情報である。上記接着剤の存在領域または非存在領域は、特定の識別情報を意味するパターンに形成されている構成とすることが好ましい。
【００２１】
請求項４によれば、ホットメルト接着剤に接着されなかった余剰な短繊維を回収して再利用することができるので、ロスが少なくなって、より安価に着用物品用シートを製造できるようになる。
【００２２】
請求項５によれば、着用物品用シートの短繊維が外表面になるように使い捨ておむつ等の吸収性物品の防漏シートとして用い、若しくはバックシートに接着して用いれば、柔軟性のある布様の外観と肌触りを持った吸収性物品となる。
【００２３】
また、ずれ止めシートとした場合には、柔軟な被当接部材に対しても追従しやすくなって、充分なずれ止め効果を発揮できるようになる。
【００２４】
請求項６によれば、着用物品用シートの短繊維が外表面になるようにパンツ型おむつの防漏用外装シートとして用い、若しくは外装シートに接着して用いれば、柔軟性のある布様の外観と肌触りを持ったパンツ型おむつとなる。
【００２５】
請求項７によれば、シートが透湿防水性のプラスティックフィルムであるので、通気性が良好な着用物品用シートとなる。
【００２６】
請求項８によれば、吸収性物品のバックシートにホットメルト接着剤部を部分的に塗工して、ホットメルト接着剤の存在領域にのみ短繊維を接着しているので、ずれ止めシートとした場合には、ずれ止めを発揮したい任意の箇所にのみずれ止め部を形成できるとともに、ホットメルト接着剤や短繊維の無駄を省くことができる。
【００２７】
請求項９によれば、着用物品用シート製造工程を吸収性物品の製造工程に組み込んでいるから、着用物品用シートを連続的に製造しながら吸収性物品を連続的に製造できるので、製造工程が簡便になって、より安価に吸収性物品を製造できるようになる。
【発明を実施するための最良の形態】
【００２８】
以下、本発明を実施するための最良の形態について、図面を参照しながら詳細に説明する。
【００２９】
図１は着用物品用シート（ずれ止めシート）１であり、（ａ）は斜視図、（ｂ）は（ａ）の模式的拡大断面図であって、シート２に塗工されたホットメルト接着剤４には繊維長１０ｍｍ以下の短繊維３が接着されている。
【００３０】
上記シート２には、ホットメルト接着剤が網状若しくは繊維状に塗工されている。すなわち、図２（ａ）のように、ホットメルト接着剤４が連続的な複数列の輪状に塗工されている（スパイラル塗工）。また、図２（ｂ）のように、ホットメルト接着剤４をほぼ均一な短繊維状に塗工することもできる（メルトブロー塗工）。さらに、図２（ｃ）のように、ホットメルト接着剤４を連続的な複数列の波状に塗工することもできる（オメガ塗工）。
【００３１】
ここで、ホットメルト接着剤４を「網状若しくは繊維状に塗工」するとは、図２（ａ）〜（ｃ）に例示したように、ホットメルト接着剤４が平面視でランダムに分散した塗工状態とすることであり、上記従来技術のような接着剤の全面均一塗工ではないことを意味する。
【００３２】
このように、シート２に網状若しくは繊維状に塗工したホットメルト接着剤４に、繊維長１０ｍｍ以下の短繊維３を接着するようにすれば、ランダムな高さとなるホットメルト接着剤４に、ランダムに絡みあったり、重なり合ったりしながら、短繊維３が接着されるようになる。
【００３３】
したがって、ホットメルト接着剤４の塗工パターンによって、短繊維３がシート２に分散されるようになるから、着用物品用シート１全体の柔軟性を損なわれなくなるとともに、短繊維３の起立方向も不均一となるので、布様の外観と肌触りを持つようになる。なお、シート２として、透湿防水性のプラスティックフィルムを用いた場合でも、ホットメルト接着剤４はランダムに分散塗工されているために、微細な透湿孔が塞がれにくくなるので、通気性（透湿性）が阻害されなくなって、通気性が良好な着用物品用シート1となる。
【００３４】
また、着用物品用シート１をずれ止めシートとした場合には、網状若しくは繊維状に塗工したホットメルト接着剤４の塗工部は柔軟で、繊維同士の固定も無くて固くならないために、着用物品用シート（ずれ止めシート）１は全体として柔軟で、表面の向きが均一でない柔軟な被当接部材（例えば、不織布、織物、編物等で形成されたシート物）に対しても追従しやすく、繊維も引っ掛かりやすくなって、充分なずれ止め効果を発揮できるようになる。
【００３５】
また、繊維３の少なくとも一部はホットメルト接着剤４で接着されるので、シート２からの短繊維３の脱落が少なくなる。
【００３６】
図３は、上記着用物品用シート１を吸収性物品Ｐの防漏用バックシート５として用いた実施形態であって、（ａ）は吸収性物品Ｐの裏面図、（ｂ）は（ａ）のＸ−Ｘ線拡大断面図である。
【００３７】
上記吸収性物品Ｐは、液体透過性のトップシート７と液体不透過性のバックシート５の間に吸水体６を挟み込んで構成されている。
【００３８】
上記吸水体６の長手方向の両側縁部に沿って、長手方向に延びる撥水性及び／又は液体不透過性のサイドシート９が設けられ、このサイドシート９は、トップシート７との接合部１２を起立基端部として幅方向の内側に延出され、封止部１１で封止された延出部分の内側端部に取付けられた立体用弾性部材８の収縮力でトップシート７の上方に起立する立体ギャザー１０となっている。この立体ギャザー１０により、トップシート７の表面を流れた尿等の排泄物を受け止めることができ、着用者が横向きに寝ているような場合でも横濡れ防止効果を発揮できる。
【００３９】
また、サイドシート９の接合部１２よりも幅方向外側部分９ａは、その下面をトップシート７の幅方向端部の上面とバックシート５の幅方向端部の上面とに跨って接合することにより、トップシート７を伝わってきた尿等がトップシート７の幅方向端部からしみ出すのを防止している。
【００４０】
上記吸収性物品Ｐの吸水体６は、後側が幅広、前側が幅狭、股間部がくびれでいるひょうたん形状であって、バックシート５とトップシート７とサイドシート９とを組み合わせてなる表面材は、吸水体６よりも一回り大きくして、吸水体６の外周囲で接着固定している。このようなひょうたん形状の吸収性物品Ｐは、着用者の体型に合わせてフィットしやすく、尿等を効果的に吸収しやすく、さらに漏れにくくなる。なお、吸水体６は、必ずしもひょうたん形状である必要はなく、長方形形状等であっても良い。
【００４１】
そして、上記着用物品用シート１を吸収性物品Ｐの防漏用バックシート５として用いているから、柔軟性のある布様の外観と肌触りを持った吸収性物品Ｐとなる。
【００４２】
図４（ａ）は、吸収性物品Ｐのバックシート５の外表面に、幅方向に間隔を隔てたストライプ状図柄に短繊維３を接着した例である。この例示のような図柄を形成するように、バックシート５の任意の箇所に、ホットメルト接着剤４を塗工した存在領域４ａと、ホットメルト接着剤４を塗工しない非存在領域４ｂとを形成して、存在領域４ａのみに短繊維３を接着すれば、吸収性物品Ｐの外観が特徴的になるとともに、使用する短繊維量や接着剤量が減少してコストダウンとなる。
【００４３】
図４（ｂ）は、吸収性物品Ｐのバックシート５の外表面に、ホットメルト接着剤４が存在しない非存在領域４ｂとして、例えば長手方向に連続的に並んだ三角形状を形成して、その部分以外に繊維３を接着した例である。このように、三角形の頂角の向きが吸収性物品Ｐの前側を示すというような情報を着用者に与えることができ、吸収性物品Ｐをより有効に利用できるようになる。なお、図４（ｂ）では、ホットメルト接着剤４の非存在領域４ｂを特定の識別情報を表すものとしているが、ホットメルト接着剤４の存在領域４ａを特定の識別情報を表すものとしても差し支えない。また、ホットメルト接着剤４の存在領域４ａと非存在領域４ｂとを組み合わせて、特定の識別情報を表すものとしても差し支えない。
【００４４】
図５は、上記着用物品用シート１をずれ止めシートとして、吸収性物品Ｐの防漏用バックシート５として用いた実施形態であって、（ａ）は吸収性物品Ｐの裏面図、（ｂ）は（ａ）のＸ−Ｘ線拡大断面図である。
【００４５】
すなわち、バックシート５の外表面の中央位置に、横長長方形状の着用物品用シート（ずれ止めシート）１を設置したものである。
【００４６】
これにより、吸収性物品Ｐの着用物品用シート（ずれ止めシート）１の繊維３が柔軟な被当接部材の繊維の間に食い込み、引っ掛かってずれ止め効果を発揮するようになる。なお、着用物品用シート（ずれ止めシート）１が、図５（ａ）のようなほぼ中央に位置していると、吸収性物品Ｐの前後が動きやすく、身体に拘縮があって左右どちらか片方に曲がっているような高齢者に着用する場合には便利である。
【００４７】
図６（ａ）は、吸収性物品Ｐのバックシート５の外表面の全面にホットメルト接着剤４で短繊維３を接着した着用物品用シート（ずれ止めシート）１の例である。この例では、バックシート５の全面にずれ止め効果を発揮することができる。また、着用物品用シート（ずれ止めシート）１は柔軟であることから吸収性物品Ｐの全体の柔軟性を損なうこともない。
【００４８】
図６（ｂ）は、吸収性物品Ｐのバックシート５の前後の両端部の近傍にホットメルト接着剤４で短繊維３を接着した着用物品用シート（ずれ止めシート）１の例である。
【００４９】
図７（ａ）は、吸収性物品Ｐのバックシート５の前後の幅方向の両端部の近傍にホットメルト接着剤４で短繊維３を接着した着用物品用シート（ずれ止めシート）１の例である。
【００５０】
図６（ｂ）、図７（ａ）のように、着用物品用シート（ずれ止めシート）１がバックシート５の前後の両端部の近傍あるいは前後の幅方向の両端部の近傍に設けてあれば、吸収性物品Ｐの中央部分は自由であるために、併用する被当接部材であるアウター（オムツカバー、テープ止め型おむつ、パンツ型おむつ等）が影響することなく着用者の体型に合わせてフィットさせやすくなる。また、着用物品用シート（ずれ止めシート）１を必要な箇所にだけ設ければよいので、安価なものとなる。
【００５１】
図７（ｂ）のように、ホットメルト接着剤４を三角形に塗工して、その部分にのみ繊維３を接着するようにすれば、着用物品用シート（ずれ止めシート）１を三角形に形成でき、この三角形の頂角が前を表すような情報を着用者に与えることができ、吸収性物品Ｐをより有効に利用できるようになる。
【００５２】
図８（ａ）のように、ホットメルト接着剤４を漢字の「前」と「後」の文字形の塗工して、その部分にのみ繊維３を接着するようにすれば、着用物品用シート（ずれ止めシート）１を「前」と「後」という文字に形戒でき、「前」が吸収性物品Ｐの前を、「後」が吸収性物品Ｐの後を表すような情報を着用者に与えることができ、吸収性物品Ｐをより有効に利用できるようになる。
【００５３】
図８（ｂ）のように、ホットメルト接着剤４をアルファベットの「Ｍ」の文字形に塗工して、その部分にのみ繊維３を接着するようにすれば、着用物品用シート（ずれ止めシート）１を「Ｍ」という文字に形成でき、「Ｍ」というサイズを表現できると同時に、「Ｍ」を識別できるように見て上方になる方が前を表すような情報を着用者に与えることができ、吸収性物品Ｐをより有効に利用できるようになる。
【００５４】
なお、図６（ｂ）〜図８（ｂ）では、主に接着剤４と繊維３の存在する領域を、任意の箇所あるいは特定の識別情報として表しているが、接着剤４と繊維３の存在しない領域を任意の箇所あるいは特定の識別情報を表すようにしても差し支えない。また、接着剤４と繊維３の存在する領域と存在しない領域を組み合わせて、任意の箇所あるいは特定の識別情報を表すようにしても差し支えない。
【００５５】
この例示のようなパターンを形成するように、バックシート５の任意の箇所に、ホットメルト接着剤４を塗工した存在領域４ａと、ホットメルト接着剤４を塗工しない非存在領域４ｂとを形成して、存在領域４ａのみに短繊維３を接着すれば、使用する短繊維量や接着剤量が減少してコストダウンとなる。
【００５６】
上記各吸収性物品Ｐは、トップシート７とバックシート５との間に吸水体６を挟み込んで構成したものであったが、図９に示すように、パンツ型おむつの吸収性物品ＰＰとして構成することもできる。
【００５７】
このパンツ型おむつの吸収性物品ＰＰは、パンツ本体２５の前腹部２６と後背部２７との間の股部２８の両側に脚穴部２９が形成されて、前腹部２６と後背部２７とにはウエスト用弾性部材３０とボディフィット用弾性部材３１とが添設されているとともに、脚穴部２９の回りにはレッグ周り弾性部材３２が添設されている。
【００５８】
上記パンツ本体２５は、外面側の外装シート２５Ａと肌面側の内装シート２５Ｂとが接着されて形成され、内装シート２５Ｂの股部２９には、図３〜図８に示したような吸収性物品Ｐが取付けられていても良い。
【００５９】
そして、撥水性の不織布製である外装シート２５Ａを着用物品用シート１として用いて、この外装シート２５Ａの外面に、ホットメルト接着剤４で短繊維３を接着している。なお、外装シート２５Ａの外面に、短繊維３を接着した上記シート２を接着しても良い。
【００６０】
また、パンツ本体２５は、外装シート２５Ａを省略して内装シート２５Ｂのみで形成して、この内装シート２５Ｂの外面に、ホットメルト接着剤４で短繊維３を接着することもできる。なお、内装シート２５Ｂの外面に、短繊維３を接着した上記シート２を接着しても良い。
【００６１】
この構成であれば、外装シート２５Ａを設けないので、より柔軟性が増すととともに、コストダウンにもなる。
【００６２】
上記シート２は、防水性のプラスティックフィルム、紙製テープ、不織布材料等が利用でき、より好ましくは通気・防水性のプラスティックフィルム、特にＰＥ（ポリエチレン）樹脂によるフィルムが好適である。
【００６３】
上記繊維３は、コットン、レーヨン等の天然繊維，ＰＰ（ポリプロピレン）、ＰＥ、ＰＥＴ（ポリエチレンテレフタレート）、ナイロン等の合成樹脂繊維が利用できる。また、単一成分のみならず、芯鞘型、サイドバイサイド型等の２種類以上の成分を組み合わせた複合繊維も利用できる。好ましくは、繊維長１０ｍｍ以下にカットされた短繊維であり、さらに好ましくは、繊維長５ｍｍ以下の短繊維である。繊雑長５ｍｍ以下の短繊維を用いれば、より均一に分散されてさらに柔軟になる。また、繊度が０．３〜７．０デシテックスの短繊維を用いれば、より均一に分散されてさらに柔軟になる。
【００６４】
上記ホットメルト接着剤４は、生産性の点からは、６０〜１８０℃程度で溶融するものが好ましく、ＳＩＳ（スチレン−イソプレン−スチレンブロックポリマー）、ＳＩＢＳ（スチレン−イソプレン−ブタジエン−スチレンブロックコポリマー）、ＳＥＢＳ（スチレン−エチレン−ブチレン−スチレンブロックコポリマー）、ＳＥＰＳ（スチレン−エチレン−プロピレン−スチレンブロックコポリマー）等のスチレン系エラストマー；エチレン・酢酸ビニル系コポリマー；ポリエステル系，アクリル系，ポリオレフィン系等のエラストマー類；ポリイソブチレン、ブチルゴム、ポリイソプレン、天然ゴム等のゴム類等が好適に用いられる。中でも、着用物品用シート（ずれ止めシート）１全体の柔軟性を損なわないという点から、スチレン系エラストマーやゴム類が好ましい。
【００６５】
上記ホットメルト接着剤４の塗工方法としては、図２（ａ）のようなスパイラル塗工、図２（ｂ）のようなメルトブロー塗工、図２（ｃ）のようなオメガ塗工によって網状又は繊維状に塗工する方法が好ましい。
【００６６】
上記スパイラル塗工は、塗工ヘッドのホットメルト吐出孔の近傍に、ノズル中心方向にエアーを吹き出すことのできる３個以上のエアー噴出口が点対称に備えられたスパイラルスプレーガンノズルを用いて行うことができる。
【００６７】
すなわち、ホットメルト吐出孔の直下にビード状で吐出されたホットメルト接着剤は、ある角度でエアーが吹付けられると、吹付けられたエアーの方に変位して、その変位した先にめがけて、ホットメルト接着剤に描かせるスパイラルの接線方向にエアーを吹付けることにより、ホットメルト接着剤は再び変位する。この変位操作が点対称に設けられた複数のエアー噴出口によって繰り返されることにより、ホットメルト接着剤は連続線を維持しながらスパイラル状で落下していく。
【００６８】
この線状ホットメルト接着剤を、停止しているシート２で受け止めると、その軌跡は円形となるが、シート２を走行させながら上記線状ホットメルト接着剤を受け止めると、スパイラル状パターンとなる。このスパイラル状パターンの幅は５〜３０ｍｍ程度であることが好ましい。また、隣り合うスパイラル状パターンが重なっていても構わない。
【００６９】
上記メルトブロー塗工は、複数の小さな吐出孔群が直線状に配列され、各吐出孔の近傍に加熱空気を高速で噴出することのできるエアー噴出口を備えたメルトブローコーターを用いて行うことができる。
【００７０】
このメルトブローコーターによれば、ホットメルト吐出孔から線状に吐出された溶融状態のホットメルト接着剤に、加熱空気が高速で吹付けられることによって、ホットメルト接着剤が細長く引き延ばされた後、破断して、短く細い繊度の繊維状物となって、走行しているシート２上に落下して短繊維状に形成される。このメルトブローコーターにおける吐出孔の間隔やシート２の走行速度を調整すれば、単位面積当たりの接着剤量を調整できる。
【００７１】
上記オメガ塗工は、塗工ヘッドのホットメルト吐出孔の左右もしくは前後に、吐出方向と同じ方向に噴出することができるとエアー噴出口が、ホットメルト吐出孔とエアー噴出口とがほぼ直線状に並ぶように２箇所設けられたオメガスプレーノズルを用いて行うことができる。
【００７２】
すなわち、ホットメルト吐出孔の直下にビード状で吐出されたホットメルト接着剤は、左右もしくは前後２箇所に配置されたエアー噴出口から出るエアーによって変位を繰り返しながらジグザグ線状に落下していく。このジグザグ線状ホットメルト接着剤を、停止しているシート２で受け止めると、その軌跡は幅方向に往復しながら積層していく線（塊）になるが、シート２を走行させながら上記ジグザグ線状ホットメルト接着剤を受け止めると、オメガ状パターンとなる。このオメガ状パターンの幅は１〜１５ｍｍ程度であることが好ましい。また、隣り合うオメガ状パターンが重なっていても構わない。
【００７３】
ホットメルト接着剤４の塗工量としては、１〜２０ｇ／ｍ２が好ましく、さらに好ましくは、３〜１５ｇ／ｍ２である。１ｇ／ｍ２以下であると、繊維３の量が少なくなり、布様の外観と肌触りとを得られにくくなるまた、２０ｇ／ｍ２以上であると、ホットメルト接着剤４の量が多すぎて、着用物品用シート１全体の柔軟性が損なわれる。
【００７４】
上記バックシート５は、撥水性不織布材料（スパンボンド不織布、メルトブロー不織布、ＳＭＳ不織布等）、プラスティックフィルム（通気性であっても非通気性であっても良いが、より好適な態様としては通気性プラスティックフィルムが望ましい）やその複合材料が用いられる。より好ましくは目付１５〜４０ｇ／ｍ２の通気性ポリエチレンフィルムが用いられる。
【００７５】
上記吸水体６は、粉砕したパルプ繊維やセルロース繊維等の親水性繊維集合層に粒状の高分子吸水体を混合した吸収コアをティッシュペーパーなどの紙シートあるいは透液性不織布シート等の被覆シートで包み所定の形状に成形した吸水体である。着用者が歩いたり、寝返りを打ったりしても形状を保持できるように親水性繊維集合体中やシートに所定の形状保持手段（ホットメルト接着剤の塗布、合成繊維の混合）を施しても構わない。また、上記繊維や高分子吸水体をシート状の成形したシート状吸水体（例えばエアレイド吸収体）などを所定の形状（長方形、砂時計型等）に成形して用いても構わない。
【００７６】
上記トップシート７は、透液性の不織布材料が好ましい。例えば、親水性繊維（セルロース、レーヨン、コットン等）を用いた不織布材料、あるいは疎水性繊維（ポリプロピレン、ポリエチレン、ポリエステル、ポリアミド、ナイロン等）の表面を界面活性剤により処理して透液性とした不織布材料が用いられる。好ましくは、目付１０〜２５ｇ／ｍ２の疎水性繊維の表面を界面活性剤により処理して透液性とした透液性の不織布材料（ポイントボンド不織布、エアースルー不織布）が用いられる。
【００７７】
上記立体用弾性部材８は、通常使い捨ておむつに用いられる弾性伸縮材料（ポリウレタン糸、ポリウレタンフィルム、天然ゴム等）が用いられ、サイドシート９の間に前後方向に伸長状態で、ホットメルト接着剤、熱接着、超音波接着など好適な添設手段でもって添設される。好ましくは、繊度３００〜２０００デシテックスのポリウレタン糸を、倍率１．１〜４．０倍に伸張して添設する。添設手段としてはゴム系のホットメルト接着剤を用いることが好ましい。
【００７８】
上記サイドシート９は、通気性があって撥水性である不織布材料（スパンボンド不織布、メルトブロー不織布、ＳＭＳ不織布等）やプラスティックフィルム（通気性であっても非通気性であっても良いが、より好適な態様としては通気性プラスティックフィルムが望ましい）やその複合材料が用いられる。好ましくは、目付１０〜２５ｇ／ｍ２の撥水性不織布材料である。
【００７９】
上記各材料の接合方法は、ホットメルト接着剤、超音波シール、熱接合等の方法が適宜用いられる。ホットメルト接着剤については、ゴム系、スチレン系、ポリオレフィン系、酢酸ビニル系等のホットメルト接着剤から適切に選定され、直接的なコーター塗布、間接的なスパイラル塗布、メルトブロー（カーテンスプレー）塗布、ビード塗布、オメガ塗布等の方法で塗布する。なお、サイドシート９の封止部１１〔図３（ｂ）参照〕については、熱接合や超音波接合による接合が好ましい。
【００８０】
図１０は、バックシート５として用いられる着用物品用シート（ずれ止めシート）１の製造工程を吸収性物品Ｐの製造工程に組み込んだ製造ラインＭ１である。
【００８１】
バキュームコンベヤー１３で矢印Ａ方向から搬送されてきた吸水体６がバックシート５と合流し、ついでトップシート７（予めサイドシート９と合流して立体ギャザー１０が形成されるようになっていても良い。）が合流して吸水体６を被覆するとともに、この吸水体６の外周縁部でバックシート５と接合されるようになる。
【００８２】
上記バックシート５の外表面にホットメルト接着剤４で繊維３を接着する工程を説明する。
【００８３】
まず、バックシート５の外表面に塗工ヘッド１４から吐出されるホットメルト接着剤４が塗工され、ついで、ボックス１５内で、吹付け部１６から短繊維３がバックシート５の外表面に向かって吹付けられて、ホットメルト接着剤４に接着されなかった余剰の短繊維３が回収部１７から回収され、この回収された余剰の短繊維３は再利用される。なお、短繊維３は、吹付け部１６から主に圧縮空気によって吹付けたり分散させたりして付着させるが、短繊維３をホットメルト接着剤４に接着させる方法としては、静電植毛法のように静電気的な力を利用しても差し支えない。
【００８４】
このように、バックシート５として用いられる着用物品用シート（ずれ止めシート）１の製造工程を吸収性物品Ｐの製造工程に組み込めば、バックシート５として用いられる着用物品用シート（ずれ止めシート）１を連続的に製造しながら吸収性物品Ｐを連続的に高速製造できるので、製造工程が簡便になって、より安価に吸収性物品Ｐを製造できるようになる。
【００８５】
また、ホットメルト接着剤４に接着されなかった余剰な短繊維３を回収して再利用できるので、ロスが少なくなって、より安価に着用物品用シート（ずれ止めシート）１または吸収性物品Ｐを製造できるようになる。
【００８６】
図１１は、着用物品用シート（ずれ止めシート）１の製造工程を吸収性物品Ｐの製造工程に組み込んだ製造ラインＭ２である。
【００８７】
まず、シート２の外表面に塗工ヘッド１４から吐出されるホットメルト接着剤４が塗工され、ついで、ボックス１５内で、吹付け部１６から短繊維３がシート２の外表面に向かって吹付けられて、ホットメルト接着剤４に接着されなかった余剰の短繊維３が回収部１７から回収され、この回収された余剰の短繊維３は再利用される。
【００８８】
このようにして製造された着用物品用シート１は、シート２の裏面側に塗工ヘッド２２から吐出される転写用接着剤２３を塗工され、ついで転写ユニット１８のカッター刃１９によって所定の長さに切断され、アンビルロール２０と受けロール２１との間でバックシート５の裏面側に転写される。
【００８９】
このように、着用物品用シート（ずれ止めシート）１の製造工程を吸収性物品Ｐの製造工程に組み込めば、図９の工程に比べて複雑にはなるが、着用物品用シート（ずれ止めシート）１を短い長さで使用したい場合には、吸収性物品Ｐに比べて着用物品用シート（ずれ止めシート）１の製造工程の速度が遅くなるために、加工調整がし易くなるというメリットがある。また、着用物品用シート（ずれ止めシート）１の製造工程を別工程にしているため、保守・点検が容易となる。
【図面の簡単な説明】
【００９０】
【図１】着用物品用シート（ずれ止めシート）であり、（ａ）は斜視図、（ｂ）は（ａ）の模式的拡大断面図である。
【図２】（ａ）はスパイラル塗工したシートの斜視図、（ｂ）はメルトブロー塗工したシートの斜視図、（ｃ）はオメガ塗工したシートの斜視図である。
【図３】吸収性物品であり、（ａ）は裏面図、（ｂ）は（ａ）のＸ−Ｘ線拡大断面図である。
【図４】（ａ）（ｂ）は、図柄や特定の識別情報を表した吸収性物品の裏面図である。
【図５】吸収性物品であり、（ａ）は裏面図、（ｂ）は（ａ）のＸ−Ｘ線拡大断面図である。
【図６】（ａ）（ｂ）は、ずれ止めシートを特定のパターンに形成した例を示す吸収性物品の裏面図である。
【図７】（ａ）（ｂ）は、ずれ止めシートを特定のパターンに形成した例を示す吸収性物品の裏面図である。
【図８】（ａ）（ｂ）は、ずれ止めシートを特定のパターンに形成した例を示す吸収性物品の裏面図である。
【図９】パンツ型おむつの斜視図である。
【図１０】バックシートとして用いられる着用物品用シート（ずれ止めシート）の製造工程を吸収性物品の製造工程に組み込んだ製造ライン図である。
【図１１】着用物品用シート（ずれ止めシート）の製造工程を吸収性物品の製造工程に組み込んだ製造ライン図である。
【符号の説明】
【００９１】
１      着用物品用シート（ずれ止めシート）
２      シート
３      短繊維
４      ホットメルト接着剤
４ａ    存在領域
４ｂ    非存在領域
５      バックシート
６      吸水体
７      トップシート
２５Ａ  外装シート
Ｐ      吸収性物品
ＰＰ    パンツ型おむつ（吸収性物品）
【図１】
2005118225.tif 000003
【図２】
2005118225.tif 000004
【図３】
2005118225.tif 000005
【図４】
2005118225.tif 000006
【図５】
2005118225.tif 000007
【図６】
2005118225.tif 000008
【図７】
2005118225.tif 000009
【図８】
2005118225.tif 000010
【図９】
2005118225.tif 000011
【図１０】
2005118225.tif 000012
【図１１】
2005118225.tif 000013